(57)【要約】【課題】  静止画や動画等の画像情報の表示を主とする画像情報装置のサイズを、ドライブ本体のサイズの制約から解放して、自由な大きさ、形にすることができる画像情報装置付きの車載用情報再生装置を提供する。【解決手段】  画像表示装置付きＤＶＤ再生装置１では、画像表示装置３をコンソール内の１ＤＩＮサイズ用ボックスに埋め込まれている再生装置本体部２に対して、着脱自在にすることができる。このため、７インチ以内というサイズの制約を受けることがなく、７インチ以上のサイズの画像表示装置３を装着することができる。同乗者は、静止画、動画を鑑賞に堪える十分なサイズの表示部２１で見ることができる。【選択図】  図４ 
2005119491.tif 000002
【特許請求の範囲】
【請求項１】
車載用コンソールに組み付けられて少なくともオーディオ信号処理部と電源部を備えてなり、情報信号を再生する情報再生本体部と、
上記情報再生本体部に脱着可能に取り付けられる画像表示部と
を備えることを特徴とする車載用情報再生装置。
【請求項２】
上記画像表示部は上記情報再生本体部の前面部よりも大きなサイズであり、上記情報再生本体部に対して脱着自在とされることを特徴とする請求項１記載の車載用情報再生装置。
【請求項３】
上記情報再生本体部は、複数の接続端子を備えてなるコネクタ部を有し、このコネクタ部に上記画像表示部の同じくコネクタ部が脱着可能とされることを特徴とする請求項１記載の車載用情報再生装置。
【請求項４】
上記画像表示部に替えて、上記情報再生本体部の操作部を備えた操作パネル部を、上記情報再生本体部に脱着可能に取り付けることを特徴とする請求項１記載の車載用情報再生装置。
【請求項５】
上記操作パネル部にも、上記情報再生本体部のコネクタ部に脱着可能とされるコネクタ部を備えることを特徴とする請求項４記載の車載用情報再生装置。
【請求項６】
上記情報再生本体部に対して上記画像表示部及び上記操作パネル部は、ロック機構を共通とすることを特徴とする請求項４記載の車載用情報再生装置。
【請求項７】
上記情報再生本体部にはラジオ放送及び／又はテレビ放送受信用のチューナを備えてなること特徴とする請求項４記載の車載用情報再生装置。
【請求項８】
上記画像表示部には、ラジオ放送及び／又はテレビ放送受信用のチューナを、電源部と共に備えてなり、上記情報再生本体部から外された状態でも、映像及び／又は音響情報を再生可能であることを特徴とする請求項１記載の車載用情報再生装置。
【発明の詳細な説明】
【技術分野】
【０００１】
本発明は、自家用車等に載せられて、記録媒体あるいは通信媒体から音響及び／又は画像情報を再生し、音響に関する情報や画像を表示する画像表示装置付きの車載用情報再生装置に関する。
【背景技術】
【０００２】
従来、車両の運転席付近に設置する画像表示装置としては、２ＤＩＮインダッシュ埋め込みモニター、１ＤＩＮインダッシュ立ち上がりモニター、オンダッシュモニターなどが商品化されている。
【０００３】
しかし、２ＤＩＮインダッシュ埋め込みモニターは、２ＤＩＮサイズの取付け可能な車両にしか取付けできず、画面サイズは２ＤＩＮサイズの制約のため、７インチ以内になってしまう。さらに操作ボタンを配置するとさらに画面サイズが小さくなってしまう。
【０００４】
また、１ＤＩＮインダッシュ立ち上がりモニターは、１ＤＩＮサイズしか取付できない車両用に電動または手動で表示部が収納可能にしているため、やはりＤＩＮサイズの制約のために７インチ以内のサイズとなってしまう。また、１ＤＩＮ内部に表示部を収納するためにセット内部のスペースが圧迫されて、ＣＤ、ＤＶＤ等のメディアドライブや電気基板等を薄く小さく作らなければならないため、コストアップになってしまう。
【０００５】
また、オンダッシュモニターは、ナビ用モニターによく使われる形態で、ダッシュボード上に設置するために、サイズの制約は受けないので、８インチ以上の商品も可能であるが、ドライバーの視界を遮る可能性や、エアバッグとの干渉等、問題が指摘される。また、表示部と本体をつなぐ電源や映像を送るケーブルの引き回しが発生するために、取付け時のスマートさに欠ける。
【０００６】
なお、従来から、パネルの表示部やスイッチなどを配置する面積を、本体機器の収納部よりも、縦横寸法を大きくした大型パネルの取り付け構造などが特開２００３−１２７７９３号公報、特開平１０−３３５８４１号公報に開示されている。
【０００７】
【特許文献１】特開２００３−１２７７９３号公報
【特許文献２】特開平１０−３３５８４１号公報
【発明の開示】
【発明が解決しようとする課題】
【０００８】
しかし、上記特許文献１、特許文献２に記載されている技術は、車載用オーディオ機器の操作パネルを対象としている。この操作パネルに主に設けられているのは、再生、停止、ボリューム調整等の操作ボタンである。例えばＬＣＤよりなる表示部も設けられているものもあるが、表示部が主になるものではなく、静止画や動画等の画像情報を表示するのには限界がある大きさである。
【０００９】
本発明は、静止画や動画等の画像情報の表示を主とする画像情報装置のサイズを、ドライブ本体のサイズの制約から解放して、自由な大きさ、形にすることができる画像表示装置付きの車載用情報再生装置の提供を目的とする。
【課題を解決するための手段】
【００１０】
本発明に係る車載用情報再生装置は、車載用コンソールに組み付けられて少なくともオーディオ信号処理部と電源部を備えてなり、情報信号を再生する情報再生本体部と、上記情報再生本体部に脱着可能に取り付けられる画像表示部とを備えることにより上記課題を解決する。
【００１１】
画像表示部は、車載用コンソールに組み付けられている情報再生本体部に脱着可能に取り付けられるので、画像表示部の表示画面の大きさは、情報再生本体部の前面よりも大きくすることができる。
【発明の効果】
【００１２】
本発明の車載用情報再生装置によれば、画像表示部は、車載用コンソールに組み付けられている情報再生本体部に脱着可能に取り付けられるので、画像表示部の表示画面の大きさは、情報再生本体部の前面よりも大きくすることができる。すなわち、本発明によれば、静止画や動画等の画像情報の表示を主とする画像表示部のサイズを、ドライブ本体のサイズの制約から解放して、自由な大きさ、形にすることができる。
【発明を実施するための最良の形態】
【００１３】
以下、本発明を実施するための第１の形態として、映像及び／又は音声情報を記録しているディジタルバーサタイルディスク（Digital Versatile Disk：ＤＶＤ）を再生する車載用ＤＶＤ再生装置を挙げる。この車載用ＤＶＤ再生装置は、自家用車等に載せられて、ＤＶＤあるいはＡＭ／ＦＭラジオ放送、ＴＶ放送などの通信媒体から音響及び／又は画像情報を再生する。
【００１４】
図１には、自動車の運転席１００近くのコンソール１０１に組み込まれた車載用ＤＶＤ再生装置１の外観を示す。この車載用ＤＶＤ再生装置１は、オーディオ信号処理部と映像信号処理部と電源部を備えてなり、オーディオ信号と映像信号とを再生する再生装置本体部２と、画像表示装置３からなる。再生装置本体部２は１ＤＩＮサイズであり、コンソール１０１内の１ＤＩＮサイズ用ボックス１０２に埋め込まれている。この再生装置本体部２の前面２ａには、再生装置本体部２よりも大きなサイズであり、液晶などからなる画像表示装置３が脱着可能に取り付けられている。このため、必要に応じて取り外し可能であることによって、画像表示装置３の縦方向または横方向、または縦横両方向の寸法を埋め込まれた再生装置本体部２よりも大きく設定できる。
【００１５】
再生装置本体部２には、画像表示装置３の代わりに図２に示す操作パネル４を装着することもできる。操作パネル４と画像表示装置３は、再生装置本体部２において再生される媒体等を考慮したユーザによって選択的に装着される。
【００１６】
図２において、操作パネル４には、再生装置本体部２の後述するディスク挿入口１５と対応する開口部５が形成されており、この開口部５からＤＶＤが出し入れされる。また、操作パネル４には、再生、停止、音量の調整等を行うための操作スイッチ群からなる操作部６が設けられている。さらに、操作パネル４には、リリースボタン７が設けられており、このリリースボタン７を押すことによって図３に示すように操作パネル４を再生装置本体部２から取り外せるようになっている。
【００１７】
図３において、操作パネル４の裏面側には、複数の接続端子からなる脱着コネクタ８が設けられている。また、再生装置本体部２側には上記脱着コネクタ８に対応してやはり複数の接続端子からなる脱着コネクタ９が設けられている。操作パネル４の脱着コネクタ８と再生装置本体部側２の脱着コネクタ９とが接続されることにより、それぞれの接続端子が接続されるので、操作パネル４と再生装置本体部２間が電気的に接続される。これによって、再生装置本体部２から操作パネル４には、信号及び電源が供給できる。
【００１８】
再生装置本体部２はその前面部が操作パネル４の収まる枠体２ｂとなっており、この枠体２ｂの右側部内面側には後述するロック機構１２を構成するホルダー部１０が設けられている。一方、これに対応して操作パネル４の右側部内面側には同様にロック機構１２を構成する係合凹部１１が形成されている。また、再生装置本体部２の枠体２ｂの左側部には係着部１３が形成されている。この係着部１３に対応する操作パネル４の左側部内面側には上記係着部１３に係着される突片１４が形成されている。
【００１９】
上記係着部１３に上記突片１４を係着させた状態でこの部分を支点として操作パネル４を再生装置本体部２の枠体２ｂに収まるように装着させ、かつ上記ロック機構１２を成すホルダー部１０を係合凹部１１に係合することにより、操作パネル４を再生装置本体部２に取り付けし、その状態で固定保持されるようにロックすることができる。
【００２０】
また、操作パネル４のリリースボタン７を押すことでロック機構１２が操作されて上記係合が解かれ、これによって再生装置本体部２から操作パネル４が離脱される。
【００２１】
なお、再生装置本体部２には、操作パネル４の開口部５に対応してディスクを挿入するためのディスク挿入口１５が設けられている。
【００２２】
一方、上述したように、再生装置本体部２には、操作パネル４に代わり画像表示装置３を装着することもできる。図４に画像表示装置３を本体部２に装着した状態を示す。画像表示装置３の前面には静止画、動画を表示するのに十分なサイズの例えば液晶パネル（ＬＣＤ）よりなる表示部２１が形成されている。
【００２３】
運転席を除いて、この表示部２１により、静止画、動画を鑑賞するのは、助手席、後部座席に座っている同乗者である。自動車の大きさや内装の広さによって異なるが表示部２１から上記助手席、後部座席までの距離は約60〜150ｃｍ、或いはそれ以上となる。このため、表示部２１もある程度大きくないと、静止画、動画の鑑賞には支障を来す。特に、１ＤＩＮインダッシュ用に用いる画像表示装置は、従来、１ＤＩＮサイズしか取付できない車両用に電動または手動で表示部が収納可能にしているため、やはりＤＩＮサイズの制約のために７インチ以内のサイズとなってしまっていた。しかし、本実施の形態の画像表示装置付きＤＶＤ再生装置１では、画像表示装置３をコンソール１０１内の１ＤＩＮサイズ用ボックス１０２に埋め込まれている再生装置本体部２に対して、着脱自在にすることができるので、７インチ以内というサイズの制約を受けることがなく、７インチ以上のサイズの画像表示装置３を装着することができる。このため、同乗者は、静止画、動画を鑑賞に堪える十分なサイズの表示部２１で見ることができる。
【００２４】
画像表示装置３の表示部２１の下部には、オン、オフのスイッチや、画質、明るさなどの調整用、あるいは同時に再生される音声の音量や音質、ミュートなどのための操作スイッチ群からなる操作部２２が設けられている。また、画像表示装置３の表示部２１の右脇下部には、リリースボタン２３が設けられており、このリリースボタン２３を押すことによって画像表示装置３を再生装置本体部２から取り外せるようになっている。
【００２５】
この画像表示装置３は、図５に示すように、ベース部２５に回動可能に取り付けられている。ベース部２５には、複数の接続端子からなる脱着コネクタ２６が設けられている。この画像表示装置３のベース部２５の脱着コネクタ２６と再生装置本体部２の脱着コネクタ９とが接続されることにより、それぞれの接続端子が接続されるので、画像表示装置３と再生装置本体部２間が電気的に接続される。これによって、再生装置本体部２から画像表示装置３には、信号及び電源が供給できる。
【００２６】
また、上記ベース部２５には、再生装置本体部２のホルダー部１０に対応して、係合凹部２７が設けられている。また、ベース部２５の左側部には再生装置本体部２の上記係着部１３に係着される突片２８が形成されている。
【００２７】
上記係着部１３を上記突片２８に係着させた状態でこの部分を支点として画像表示装置３を再生装置本体部２の枠体２ｂに収まるように装着させ、かつ上記ロック機構を成すホルダー部１０を係合凹部２７に係合することにより、画像表示装置３を本体部２に取り付けし、その状態で固定保持されるようにロックすることができる。
【００２８】
また、画像表示装置３のリリースボタン２３を押すことでロック機構が操作されて上記係合が解かれ、これによって再生装置本体部２から画像表示装置３が離脱される。
【００２９】
また、画像表示装置３は、ベース部２５に対し図６の矢印Ｔ方向に、例えば手動で回動可能とされている。これは、図７に示すようなヒンジ２４ａ、２４ｂを用いた機構により、画像表示装置３が再生装置本体部２から例えば手動で前方に倒すことが可能となっているためである。このように、画像表示装置３を装着したまま、画像表示装置３を例えば手動で回動することによって、装置本体部２のディスク挿入口１５へＤＶＤを挿入することができる。もちろん、ＤＶＤをディスク挿入口１５から排出することもできる。
【００３０】
図８及び図９には、再生装置本体部２の電気的な構成と、操作パネル４及び画像表示装置３との信号の送受信の関係を示す。
【００３１】
図８及び図９に示すように、再生装置本体部２側には、オーディオ信号処理部と映像信号処理部とを備え、ＤＶＤに記録されているオーディオ信号及び／又は映像信号を再生するＤＶＤドライブ３１、通信媒体のＦＭ／ＡＭラジオ放送を受信するためのチューナー３２、再生信号を増幅してスピーカなどに出力するパワーアンプ３３、バッテリーからＤＣ１２Ｖが供給される電源部３４を備える。
【００３２】
再生装置本体部２に操作パネル４が装着されときには、図８に示すように前面のコネクター９からコネクタ８を介して操作パネル４に、コントロール信号、音声信号、電源が供給される。また、操作パネル４の操作部６にて操作されたキー入力信号は上記コネクタを介してＤＶＤドライブ３１に供給される。
【００３３】
また、再生装置本体部２に画像表示装置３が装着されたときには、図９に示すように前面のコネクター９からコネクタ２６を介して画像表示装置３に、コントロール信号、映像信号、電源が供給される。また、画像表示装置３の操作部２２にて操作されたキー入力信号は上記コネクタを介してＤＶＤドライブ３１に供給される。
【００３４】
ＤＶＤ再生装置は、ＣＤ等の音楽ディスクを再生こともできる。この場合には、画像表示装置３は不要なので、通常のカーオーディオ用の操作パネル４を使い、ＤＶＤやナビゲーションシステムで画像表示装置３が必要なときには操作パネル４を外して、画像表示装置３を装着する。操作は、画像表示装置３上の操作部２２に設けたボタンで行うが、タッチパネル付きの画像表示装置の場合は表示部２１内のタッチパネルでの操作も可能である。
【００３５】
上述したように、画像表示装置３は、再生装置本体部２側に装着した状態で、手動または電動で前方に倒すことが可能な機構を持ち、画像表示装置３を外さずに、本体のディスク挿入口１５からＤＶＤドライブに対してＤＶＤ等のメディアの出し入れが可能となる。
【００３６】
なお、第１形態の車載用ＤＶＤ再生装置は、１ＤＩＮサイズの再生装置本体部に取り付けられると説明したが、コンソール内の２ＤＩＮサイズ用ボックスに埋め込まれる２ＤＩＮサイズの再生装置本体部に取り付けられてもよいのは明らかである。
【００３７】
以上に説明したように、第１の形態の車載用ＤＶＤ再生装置１は、例えばコンソール１０１内の１ＤＩＮサイズ用ボックス１０２や、２ＤＩＮサイズ用ボックスに埋め込まれる再生装置本体部２に対して脱着コネクタにより、画像表示装置３を脱着可能とする。このため、必要に応じて取り外し可能であることによって、画像表示装置３の縦方向または横方向、または縦横両方向の寸法を、上記コンソール１０１に埋め込まれた再生装置本体部２よりも大きく設定できる。
【００３８】
また、画像表示装置３と再生装置本体部２は、複数の接続端子からなる脱着コネクタ２６、９の接続によって電気的に接続されて信号及び電源が送受信できるので、この車載用ＤＶＤ再生装置１では、画像表示装置３のための配線の引き回しが不要である。
【００３９】
また、画像表示装置３が不要な場合は、操作パネル４のような一般的なＡＶ機器のコントロールパネルと入れ替えることができる。
【００４０】
また、画像表示装置３が装置本体部２に装着された場合でも、画像表示装置３は図７に示したようにベース部２５に対して回動可能であるので、装置本体部２のディスク挿入口１５からＤＶＤなどのメディアの出し入れが可能である。
【００４１】
次に、本発明を実施するための第２の形態として、音響情報を記録しているコンパクトディスク（Compact Disk：ＣＤ）を再生する車載用ＣＤ再生装置を挙げる。この車載用ＤＶＤ再生装置は、自家用車等に載せられて、ＣＤあるいはＡＭ／ＦＭラジオ放送、ＴＶ放送などの通信媒体から音響情報を再生すると共に、音響に関する情報や、外部のナビゲーション装置や外部ＤＶＤ再生装置からの画像情報を再生することができる。
【００４２】
自動車のコンソール１０１への組み込みや、外観、さらに画像表示装置、操作パネルと、ＣＤ再生装置本体の脱着構造は、図１〜図７を参照して既に説明した記載を準用できる。すなわち、車載用ＣＤ再生装置４１は、オーディオ信号処理部と電源部とを備えているＣＤ再生装置本体部４２と画像表示装置４３からなる。ＣＤ再生装置本体部４２は１ＤＩＮサイズであり、コンソール１０１内の１ＤＩＮサイズ用ボックス１０２に埋め込まれている。ＣＤ再生装置本体部４２には、操作パネル４４と画像表示装置４３を入れ替えて装着することができる。これは、操作パネル４４の裏面及び画像表示装置４３のベース部２５に、ＣＤ再生装置本体部４２のホルダー部１０が係合される係合凹部１１及び２７が設けられ、ロック機構が構成されるためである。また、操作パネル４４の裏面及び画像表示装置４３のベース部２５に、ＣＤ再生装置本体部４２の脱着コネクタ９に装着される脱着コネクタ８及び２６が形成され、装着により複数の接続端子が電気的に接続されるためである。
【００４３】
ＣＤ再生装置本体部４２には、外部のナビゲーション装置や外部ＤＶＤ再生装置からの画像情報を画像表示装置４３に供給するために、ナビゲーション装置や外部ＤＶＤ再生装置と接続するためのコネクタ７５（後述の図１１参照）を設けている。もちろん、外部のナビゲーション装置や外部ＤＶＤ再生装置からの画像情報は、ＣＤ再生装置本体部４２から画像表示装置４３には、前記脱着コネクタ９，２６により受け渡される。
【００４４】
図１０及び図１１には、ＣＤ再生装置本体部４２の電気的な構成と、操作パネル４４及び画像表示装置４３との信号の送受信の関係を示す。
【００４５】
図１０及び図１１に示すように、再生装置本体部４２側にはオーディオ信号処理部を備え、ＣＤからオーディオ信号を再生するＣＤドライブ７１、通信媒体のＦＭ／ＡＭラジオ放送を受信するためのチューナー７２、再生信号を増幅してスピーカなどに出力するパワーアンプ７３、バッテリーからＤＣ１２Ｖが供給される電源部７４を備える。
【００４６】
再生装置本体部４２に操作パネル４４が装着されときには、図１０に示すように前面のコネクター９からコネクタ８を介して操作パネル４４に、電源が供給される。また、操作パネル４４の操作部６にて操作されたキー入力信号は上記コネクタを介してＣＤドライブ７１に供給される。
【００４７】
また、再生装置本体部４２に画像表示装置４３が装着されたときには、図１１に示すように前面のコネクター９からコネクタ２６を介して画像表示装置４３に、コントロール信号、映像信号、電源が供給される。また、画像表示装置４３の操作部２２にて操作されたキー入力信号は上記コネクタを介してＣＤドライブ７１に供給される。
【００４８】
また、外部のナビゲーション装置や外部ＤＶＤ再生装置からの画像情報は、コネクタ７５から、脱着コネクタ９、２６を介して画像表示装置４３に、コントロール信号と共に供給される。
【００４９】
操作は、画像表示装置４３上の操作部２２に設けたボタンで行うが、タッチパネル付きの画像表示装置の場合は表示部２１内のタッチパネルでの操作も可能である。
【００５０】
この画像表示装置４３も、図６及び図７に示したように、再生装置本体部４２側に装着した状態で、手動または電動で前方に倒すことが可能な機構を持ち、画像表示装置４３を外さずに、本体のディスク挿入口１５からＣＤドライブに対してＣＤ等のメディアの出し入れが可能となる。
【００５１】
なお、第２形態の車載用ＣＤ再生装置４１も、１ＤＩＮサイズの再生装置本体部に取り付けられると説明したが、コンソール内の２ＤＩＮサイズ用ボックスに埋め込まれる２ＤＩＮサイズの再生装置本体部に取り付けられてもよいのは明らかである。
【００５２】
以上に説明したように、第２の形態の車載用ＣＤ再生装置４１は、例えばコンソール１０１内の１ＤＩＮサイズ用ボックス１０２や、２ＤＩＮサイズ用ボックスに埋め込まれる再生装置本体部４２に対して脱着コネクタにより、画像表示装置４３を脱着可能とする。このため、必要に応じて取り外し可能であることによって、画像表示装置４３の縦方向または横方向、または縦横両方向の寸法を埋め込まれた本体部４２よりも大きく設定できる。
【００５３】
また、画像表示装置４３と再生装置本体部４２は、複数の接続端子からなる脱着コネクタ２６、９の接続によって電気的に接続されて信号及び電源が送受信できるので、この車載用ＣＤ再生装置４１では、画像表示装置４３のための配線の引き回しが不要である。
【００５４】
また、画像表示装置４３が不要な場合は、操作パネル４４のような一般的なＡＶ機器のコントロールパネルと入れ替えることができる。
【００５５】
なお、上記第１及び第２の形態では、本体部前面のコネクタ及びロック機構は通常の操作パネルと画像表示装置に対して共通にしたが、コネクタのピン数および、画像表示装置の重量の問題から、別々なコネクタおよびロック機構を用意する場合も考えられる。
【００５６】
また、上記画像表示装置及び再生装置本体は、取り付け部の位置調整用アタッチメントを用意することによって、様々な車種に対応可能である。
【００５７】
また、画像表示装置３，４３部には、ラジオ放送及び／又はテレビ放送受信用のチューナを、電源部と共に備えてなり、再生装置本体部２，４２から外された状態でも、映像及び／又は音響情報を再生可能とすることもできる。
【図面の簡単な説明】
【００５８】
【図１】第１の形態の車載用ＤＶＤ再生装置のコンソールへの組み込み状態を示す外観図である。
【図２】操作パネルを車載用ＤＶＤ再生装置に装着した状態を示す外観図である。
【図３】操作パネルを再生装置本体部から取り外した状態を示す外観図である。
【図４】画像表示装置を車載用ＤＶＤ再生装置に装着した状態を示す外観図である。
【図５】画像表示装置の裏面側を示す外観図である。
【図６】画像表示装置の回動を説明するための図である。
【図７】画像表示装置を回動し、ディスク挿入口が露出する状態を示す外観図である。
【図８】車載用ＤＶＤ再生装置の電気的な構成と、操作パネルとの信号の送受信の関係を示す図である。
【図９】車載用ＤＶＤ再生装置の電気的な構成と、画像表示装置との信号の送受信の関係を示す図である。
【図１０】車載用ＣＤ再生装置の電気的な構成と、操作パネルとの信号の送受信の関係を示す図である。
【図１１】車載用ＣＤ再生装置の電気的な構成と、画像表示装置との信号の送受信の関係を示す図である。
【符号の説明】
【００５９】
１  車載用ＤＶＤ再生装置、２  再生装置本体部、３  画像表示装置、４  操作パネル、６  操作部、７  リリースボタン、８  操作パネル側脱着コネクタ、９  本体部側脱着コネクタ、１２  ロック機構、２１  表示部、２２  操作部、２３  リリースボタン、２５  ベース部、２６  画像表示装置側脱着コネクタ
【図１】
2005119491.tif 000003
【図２】
2005119491.tif 000004
【図３】
2005119491.tif 000005
【図４】
2005119491.tif 000006
【図５】
2005119491.tif 000007
【図６】
2005119491.tif 000008
【図７】
2005119491.tif 000009
【図８】
2005119491.tif 000010
【図９】
2005119491.tif 000011
【図１０】
2005119491.tif 000012
【図１１】
2005119491.tif 000013